(57)【要約】【課題】ディジタル画像のテクスチャと境界線を正確かつ容易に作成するための方法および装置を提供する。【解決手段】第１と第２のディジタル画像が提供される（１００）。第１の画像を第２のディジタル画像のテクスチャまたは境界線として使用する選択肢がユーザに示される（１０４）。第１の画像の一部分をテクスチャまたは境界線として使用するように選択することができる（１０２）。必要に応じて、第１と第２の画像をサイズ変更することができる。２つの画像は（テクスチャを生成するのに適した透明度で）重ねられる（１０８）。必要に応じて、第１の画像を、（テクスチャ用に）第２の画像を完全に覆うか、（境界線用に）第２の画像を取り囲むようにタイリングすることができる（１１４、１１８）。【選択図】図１
2006309774.tif 000002
【特許請求の範囲】
【請求項１】
（ａ）第１のディジタル画像を捕捉するステップと、
（ｂ）第２のディジタル画像を捕捉するステップと、
（ｃ）ユーザが前記第１のディジタル画像の一部分を選択できるようにするステップと、
（ｄ）前記第１のディジタル画像の前記一部分を前記第２のディジタル画像のテクスチャとして使用するか境界線として使用するかを選択するようにユーザを促すステップと、
（ｅ）前記ユーザがテクスチャとして使用するように選択した場合、前記第１のディジタル画像の前記一部分を前記第２のディジタル画像上のテクスチャとして適用するステップと、
（ｆ）前記ユーザが境界線として使用するように選択した場合は、前記第１のディジタル画像の前記一部分を前記第２のディジタル画像のまわりの境界線として適用するステップと、
を含む方法。
【請求項２】
前記第１のディジタル画像の前記一部分をテクスチャとして適用する前記ステップが、
（ｉ）前記第１のディジタル画像の前記一部分の透明度を設定するサブステップと、
（ｉｉ）前記第２のディジタル画像に前記第１のディジタル画像を重ねるサブステップと、
（ｉｉｉ）前記第１のディジタル画像の前記一部分の高さと幅を前記第２のディジタル画像の高さと幅と比較するサブステップと、
（ｉｖ）前記第１のディジタル画像の前記一部分の高さまたは幅が、前記第２のディジタル画像の高さまたは幅よりも小さい場合、前記第２のディジタル画像上に前記第１のディジタル画像の前記一部分をタイリングするサブステップと、
を含む、請求項１に記載の方法。
【請求項３】
前記第１のディジタル画像の前記一部分を境界線として適用する前記ステップが、
（ｉ）境界線幅を設定するサブステップと、
（ｉｉ）前記第２のディジタル画像の外側のまわりに前記第１のディジタル画像の前記一部分をタイリングするサブステップと、
（ｉｉｉ）前記第１のディジタル画像の前記タイリングされた部分を前記境界線幅にクロップするサブステップと、
を含む、請求項１に記載の方法。
【請求項４】
前記第１のディジタル画像の前記一部分を境界線として適用する前記ステップが、
（ｉ）外側寸法、内側寸法、外側形状、および内側形状を有する境界線のスタイルとサイズを設定するサブステップと、
（ｉｉ）前記第１のディジタル画像を前記境界線の前記外側寸法と等しいサイズにサイズ変更するサブステップと、
（ｉｉｉ）前記第２のディジタル画像を前記境界線の前記内側寸法と等しいサイズにサイズ変更するサブステップと、
（ｉｖ）前記第１のディジタル画像を前記境界線の前記外側形状にクロップするサブステップと、
（ｖ）前記第２のディジタル画像を前記境界線の前記内側形状にクロップするサブステップと、
（ｖｉ）前記第１のディジタル画像に前記第２のディジタル画像を重ね、その結果、前記第１のディジタル画像が前記第２のディジタル画像のまわりに境界線を形成するようにするサブステップと、
を含む、請求項１に記載の方法。
【請求項５】
画像捕捉装置であって、
第１のディジタル画像と第２のディジタル画像を含むディジタル画像を記憶するように構成されたメモリと、
前記メモリと電気的に結合されたプロセッサであって、
ユーザが前記第１のディジタル画像の一部分を選択することを可能にし、
前記第１のディジタル画像の前記一部分を前記第２のディジタル画像のテクスチャとして使用するか境界線として使用するかを選択するようにユーザに促し、
前記ユーザがテクスチャとして使用することを選択した場合、前記第１のディジタル画像の前記一部分を前記第２のディジタル画像の上のテクスチャとして適用し、
前記ユーザが境界線として使用することを選択した場合、前記第１のディジタル画像の前記一部分を前記第２のディジタル画像のまわりの境界線として適用する、
ように構成された前記プロセッサと、
を含む、画像捕捉装置。
【請求項６】
前記プロセッサが、また、
前記第１のディジタル画像の前記一部分の透明度を設定し、
前記第２のディジタル画像を前記第１のディジタル画像で覆い、
前記第１のディジタル画像の前記一部分の高さと幅を前記第２のディジタル画像の高さと幅と比較し、
前記第１のディジタル画像の前記一部分の高さまたは幅が、前記第２のディジタル画像の高さまたは幅よりも小さい場合、前記第２のディジタル画像上に前記第１のディジタル画像の前記一部分をタイリングする、
ように構成されている、請求項５に記載の画像捕捉装置。
【請求項７】
前記プロセッサが、また、
境界線幅を設定し、
前記第２のディジタル画像の前記外側のまわりに前記第１のディジタル画像の前記一部分をタイリングし、
前記第１のディジタル画像の前記タイリングした部分を前記境界線幅にクロップする、
ように構成されている、請求項５に記載の画像捕捉装置。
【請求項８】
前記プロセッサが、また、
外側寸法、内側寸法、外側形状、および内側形状を含む境界線のスタイルとサイズを設定し、
前記第１のディジタル画像を前記境界線の前記外側寸法と等しいサイズにサイズ変更し、
前記第２のディジタル画像を前記境界線の前記内側寸法と等しいサイズにサイズ変更し、
前記第１のディジタル画像を前記境界線の前記外側形状にクロップし、
前記第２のディジタル画像を前記境界線の前記内側形状にクロップし、
前記第１のディジタル画像が前記第２のディジタル画像のまわりに境界線を形成するように、前記第１のディジタル画像に前記第２のディジタル画像を重ねる、
ように構成されている、請求項５に記載の画像捕捉装置。
【発明の詳細な説明】
【技術分野】
【０００１】
本発明は、一般に画像捕捉の分野に関し、より詳細にはディジタル画像のテクスチャと境界線を正確かつ容易に作成する分野に関する。
【背景技術】
【０００２】
ディジタル画像作成の分野において、多くの写真家は、初心者も上級者も、自分の画像をより個性的にしたいという望みをもっている。これを行う１つの方法には、画像に境界線やテクスチャなどの効果を加える画像後処理法の使用がある。現在、複雑で効果的なディジタル画像効果を利用するには、ユーザが未処理画像をコンピュータに送り、そこで、ソフトウェア（多くの場合高価）を使って画像に効果を加えなければならない。ユーザがディジタルカメラ（または他の画像捕捉装置）をプリンタに直接接続する場合、現在では、カメラ上またはプリンタファームウェア内で使用可能な画像効果の数はかなり制限されている。
【発明の開示】
【０００３】
第１と第２のディジタル画像が提供される。第１の画像を第２のディジタル画像のテクスチャまたは境界線として使用する選択肢がユーザに示される。第１の画像の一部分をテクスチャまたは境界線として使用するように選択することができる。必要に応じて、第１と第２の画像をサイズ変更することができる。２つの画像は（テクスチャを生成するのに適した透明度で）重ねられる。必要に応じて、第１の画像を、（テクスチャ用に）第２の画像を完全に覆うか、（境界線用に）第２の画像を取り囲むようにタイリングすることができる。
【０００４】
本発明の他の態様と利点は、本発明の原理を例として示す添付図面と共に行われる以下の詳細な説明から明らかになるであろう。
【発明を実施するための最良の形態】
【０００５】
好ましい実施形態のこの説明は、本発明の明細書全体の一部と見なされる添付図面と関連して読まれるように意図されている。説明において、「下側」、「上側」、「水平」、「垂直」、「上」、「下」、「左」、「右」などの相対的用語、ならびにこれらの派生語（例えば、「水平に」、「下方に」、「上方に」）は、検討中の図面で説明されまたは示されるときの向きを指すと解釈されるべきである。これらの相対的用語は、説明上の都合であり、一般に、特定の向きを必要とするようには意図されていない。「接続する」、「結合する」、および「相互接続する」などの取り付けや結合に関する用語は、明示的に示さない限り、直接的または介入構造を介して間接的に、ならびに可動式または剛性の接続または関係で、互いに固定されまたは取り付けられている関係を指す。
【０００６】
図１は、本発明によるディジタル画像のテクスチャと境界線を作成する方法の実施例のフローチャートである。ステップ１００で、画像捕捉装置を使用して第１のディジタル画像と第２のディジタル画像を捕捉する。本発明のこの実施例において、第１のディジタル画像またはその一部分が、第２のディジタル画像のテクスチャまたは境界線として使用される。ステップ１０２で、画像捕捉装置は、ユーザに、第１のディジタル画像のテクスチャまたは境界線として使用する部分を選択するように要求する。選択される部分は、ユーザが望む場合は、第１のディジタル画像の全体を含むことができる。また、ユーザは、必要に応じて、テクスチャまたは境界線として使用するために第１のディジタル画像のサイズを変更することができる。判断ステップ１０４で、ユーザは、第１のディジタル画像の一部分をテクスチャまたは境界線として使用するかどうかを選択するように要求される。第１のディジタル画像をテクスチャとして使用することをユーザが選択した場合、制御はステップ１０６に渡され、そこで、第１のディジタル画像の一部分の所望の透明度が設定される。本発明のいくつかの実施形態では、ユーザは、使用する透明度を選択することができるが、他の実施形態では、第１のディジタル画像の一部分の透明度を自動的に設定することができる。ステップ１０８で、第２のディジタル画像が、第１のディジタル画像の現在のある程度透明な部分と重ねられる。判断ステップ１１０で、第１のディジタル画像の一部分のサイズが、第２のディジタル画像のサイズと比較される。第１のディジタル画像の一部分が第２のディジタル画像を完全に覆う場合、制御はステップ１１２に渡され、そこでプロセスは終了する。本発明のいくつかの実施例では、タイリング（tiling）なしにフレーム全体のテクスチャまたは境界線を生成するために、２つの画像のサイズが等しくなければならない場合がある。さらに、本発明の他の実施例は、画像のうちの１つの画像のサイズを別の画像のサイズと一致するように拡大縮小することができる。第１のディジタル画像の一部分のｘ次元とｙ次元のどちらか（または両方）が第２のディジタル画像よりも小さい場合は、制御はステップ１１４に渡され、第１のディジタル画像の一部分が、第２のディジタル画像全体を覆うように第２のディジタル画像上にタイリングされる。当業者は、標準のタイリングルーチンを本発明の範囲内で使用して、第２のディジタル画像が第１のディジタル画像の一部分の表示によって完全に覆われ、あるいは前述のように２つの画像のサイズが一致するようにできることを理解されよう。
【０００７】
判断ステップ１０４で、ユーザが第１のディジタル画像の一部分を境界線として使用するように選択した場合、制御はステップ１１６に渡され、境界線のスタイルと幅が設定される。本発明のいくつかの実施形態において、境界線の幅はデフォルト値に設定されてもよいが、本発明の他の実施形態により、ユーザは、境界線の幅を設定することができる。同様に、本発明のいくつかの実施形態において、選択する様々な境界線スタイルをユーザに提示することができる。例えば、ユーザは、円、楕円、正方形、長方形、角の丸い長方形、六角形、八角形、他の多くの形などの境界線スタイルを選択することができる。当業者は、本発明の範囲内で種々様々な境界線スタイルを使用することができ、前述のリストは可能な境界線スタイルのわずかな例にすぎないことを理解するであろう。ステップ１１８で、第１のディジタル画像の選択した部分が、第２のディジタル画像の外側のまわりにタイリングされる。テクスチャに関して前に述べたように、本発明のいくつかの実施例は、タイリングなしにフレーム全体のテクスチャまたは境界線を生成するために、２つの画像のサイズが等しいことを必要とすることがある。本発明のさらに他の実施例は、画像のうちの１つの画像のサイズを、他の画像のサイズと所望の境界線の幅を加えたものと一致するように拡大縮小することができる。本発明のこの実施例では、第２のディジタル画像は、第１のディジタル画像の選択された部分よりも小さい。第１のディジタル画像は、それぞれの辺が第２のディジタル画像のサイズと所望の境界線幅を加えたものにクロップされるか、拡大されるか、縮小される。次に、第２のディジタル画像は、第１のディジタル画像の中心に配置され、第１のディジタル画像に重なり、得られた画像は、第２のディジタル画像の境界線として働く第１のディジタル画像の外側部分を有する。当業者は、本発明の範囲内にある第１のディジタル画像の一部分をタイリングする任意の標準的な方法を使用して、第２のディジタル画像が第１のディジタル画像の表示によって完全に取り囲まれるようにすることができることを理解するであろう。ステップ１２０で、境界線が選択された幅にクロップされる。当業者は、本発明のいくつかの実施形態において、クロッピングステップが、タイリングステップの前に行われてもよいことを理解するであろう。例えば、第１のディジタル画像の選択した部分は、タイリング前に境界線の幅にクロップされてもよく、他の実施形態は、クロップ前にタイリングされてもよい。
【０００８】
図２Ａは、本発明による画像捕捉装置の実施例の正面図である。本発明のこの実施例において、本体２００、レンズ２０２、レンズ２０２によって投影された画像を検知するように構成された画像センサ２０４、画像センサ２０４と電気的に結合され、画像データを記憶するように構成されたメモリ２０６、を含むディジタルカメラが設計される。ディジタルカメラは、また、ユーザが第１のディジタル画像の一部分を選択し、第２のディジタル画像に境界線またはテクスチャの効果を加え、修正した第２のディジタル画像をメモリ２０６に保存することを可能にするように構成されたプロセッサ２１４を含む。この例のディジタルカメラは、また、シャッタボタン２０８、ファインダ２１０、およびフラッシュ２１２を有する。
【０００９】
図２Ｂは、図２Ａからの本発明による画像捕捉装置の実施例の背面図である。この例のディジタルカメラは、また、捕捉画像と、ユーザが第１のディジタル画像を境界線とテクスチャのどちらとして適用するかを選択し、境界線のスタイルと幅を選択し、境界線またはテクスチャとして使用する第１のディジタル画像の一部分（または全体）を選択することを可能にし、また場合によってはユーザがテクスチャを適用するときに第１のディジタル画像の透明度を設定できるようにするメニューと、を表示するように構成された、メモリ２０６に電気的に結合された表示装置２１６（ＬＣＤなど）を含む。
【００１０】
図３は、本発明によりディジタル画像の境界線を作成する方法の実施例のフローチャートである。本発明のこの実施例において、境界線は、第１のディジタル画像をタイリングすることなく作成される。ステップ３００で、第１のディジタル画像と第２のディジタル画像を捕捉する。任意のステップ３０２で、ユーザは、第１のディジタル画像の境界線として使用する部分を選択することができる。本発明のいくつかの実施例において、ステップ３０２は、省略されてもよく、第１のディジタル画像全体が、境界線を作成するために使用される。ステップ３０４で、境界線スタイルと境界線サイズを、場合によってはユーザ選択によって受け取る。境界線サイズには、内側サイズと外側サイズがある。境界線スタイルには、外側形状と内側形状がある。当業者は、境界線の内側形状が境界線の外側形状と一致する必要がないことを理解するであろう。ステップ３０６で、第１のディジタル画像が、境界線の外側寸法と等しいサイズに拡大縮小される。ステップ３０８で、第２の画像が、境界線の内側サイズと等しいサイズに拡大縮小される。ステップ３１０で、第１のディジタル画像は、境界線の外側形状にクロップされる。ステップ３１２で、第２のディジタル画像は、境界線の内側形状にクロップされる。ステップ３１４で、第１のディジタル画像は、第１のディジタル画像の外側部分が第２のディジタル画像のまわりの境界線をなすように第２のディジタル画像が重ねられる。当業者は、本発明の範囲内で第２のディジタル画像を第１のディジタル画像の中心に配置する必要がないことを理解するであろう。
【００１１】
図４Ａは、本発明の実施例による第１のディジタル画像と第２のディジタル画像の図である。本発明のこの実施例において、第１のディジタル画像４００と第２のディジタル画像４０２を捕捉した。
【００１２】
図４Ｂは、本発明の実施例による境界線のスタイルとサイズの図である。あるスタイルとあるサイズを有する境界線４０４が選択されている。境界線４０４は、外側寸法、内側寸法、外側形状、および内側形状を有する。本発明のこの実施例では、内側形状と外側形状が異なることに注意されたい。
【００１３】
図４Ｃは、本発明の実施例により図４Ｂからの境界線の外側サイズに拡大された図４Ａからの第１のディジタル画像の図である。ここで、第１のディジタル画像４０６は、境界線４０４の外側寸法と一致するように拡大されている。
【００１４】
図４Ｄは、本発明の実施例による図４Ｂからの境界線の外側形状にクロップされた図４Ｃからの第１のディジタル画像の図である。ここでは、第１のディジタル画像４０８は、境界線４０４の外側形状と一致するようにクロップされている。
【００１５】
図４Ｅは、本発明の実施例による図４Ｂからの境界線の内側サイズに縮小された図４Ａからの第２のディジタル画像の図である。第２のディジタル画像４１０は、境界線４０４の内側サイズと一致するように縮小されている。しかしながら、本発明のこの実施例では、第２のディジタル画像４０２の外側形状は、境界線４０４の内側形状と既に一致しており、したがって、第２のディジタル画像４０２のクロッピングは必要ない。
【００１６】
図４Ｆは、本発明の実施例により図４Ｅからの第２のディジタル画像が重ねられた図４Ｄからの第１のディジタル画像の図である。本発明のこの実施例において、第２のディジタル画像４１０は、第１のディジタル画像４０８の外側部分が第２のディジタル画像４１０のまわりに所望の境界線を作成するように第１のディジタル画像４０８の中心に配置されている。当業者は、この実施例において、第２のディジタル画像４１０が透明でなく、本発明の他の実施例が、第１のディジタル画像４０８が境界線だけでなく第２のディジタル画像４１０へのテクスチャとして作用するように第２のディジタル画像４１０の透明度を調整できることを理解するであろう。
【００１７】
本発明の以上の説明は、例示と説明のために示された。以上の説明は、網羅的でもなく本発明を開示した厳密な形態に限定するものでもなく、以上の教示を鑑みて他の修正および変形が可能である。実施形態は、本発明の原理とその実際の応用例を最もよく説明するように選択され説明され、それにより、当業者は、意図された特定の用途に適した様々な実施形態と様々な修正により本発明を最もよく利用することができる。添付の特許請求の範囲は、従来技術によって限定される場合を除いて本発明の他の代替実施形態を含むように解釈されるべきである。
【図面の簡単な説明】
【００１８】
【図１】本発明によりディジタル画像のテクスチャと境界線を作成する方法の実施例のフローチャートである。
【図２Ａ】本発明による画像捕捉装置の実施例の正面図である。
【図２Ｂ】図２Ａからの本発明による画像捕捉装置の実施例の背面図である。
【図３】本発明によりディジタル画像の境界線を作成する方法の実施例のフローチャートである。
【図４Ａ】本発明の実施例による第１のディジタル画像と第２のディジタル画像の図である。
【図４Ｂ】本発明の実施例による境界線のスタイルとサイズの図である。
【図４Ｃ】本発明の実施例による図４Ｂからの境界線の外側のサイズに拡大された図４Ａからの第１のディジタル画像の図である。
【図４Ｄ】本発明の実施例による図４Ｂからの境界線の外側の形状にクロップされた図４Ｃからの第１のディジタル画像の図である。
【図４Ｅ】本発明の実施例による図４Ｂからの境界線の内側のサイズに縮小された図４Ａからの第２のディジタル画像の図である。
【図４Ｆ】本発明の実施例により図４Ｅからの第２のディジタル画像が重ねられた図４Ｄからの第１のディジタル画像の図である。
【符号の説明】
【００１９】
２００：画像捕捉装置
２０２：レンズ
２０４：センサ
２０６：メモリ
２０８：シャッタボタン
２１０：ファインダ
２１２：フラッシュ
２１４：プロセッサ
２１６：表示装置
【図１】
2006309774.tif 000003
【図２Ａ】
2006309774.tif 000004
【図２Ｂ】
2006309774.tif 000005
【図３】
2006309774.tif 000006
【図４Ａ】
2006309774.tif 000007
【図４Ｂ】
2006309774.tif 000008
【図４Ｃ】
2006309774.tif 000009
【図４Ｄ】
2006309774.tif 000010
【図４Ｅ】
2006309774.tif 000011
【図４Ｆ】
2006309774.tif 000012